(57)【特許請求の範囲】
【請求項１】
検出器と変換器の回転構造において、大径部と小径部からなり中心部に貫通孔が形成された断面凸状の検出器と、該検出器の小径部が挿入され、一端が前記検出器の大径部に接触した状態で他端が前記小径部の端部と略面一になる程度に形成され、かつ前記他端側から所定の深さに形成され前記検出器の小径部との間に円筒状の空間を有する変換器と、前記空間に前記小径部を巻き回して配置されたコイルばねと、前記コイルばねを押圧するばね押圧部材を備えると共に、前記検出器の大径部と前記変換器の接触部を噛合い構造とし、前記コイルばねは前記変換器を持ち上げて前記コイルばねを押圧したときに前記噛合いが外れる程度に形成され、前記ばね押圧部材は複数のねじにより前記検出器の小径部の端部に固定されたことを特徴とする検出器と変換器の回転構造。
【請求項２】
前記噛合い構造は歯形状、波型状、三角波状を含むことを特徴とする請求項１に記載の検出器と変換器の回転構造。
【発明の詳細な説明】
【技術分野】
【０００１】
本発明は、例えば差圧計や流量計などのフィールド機器の検出器と変換器の回転構造に関し、ねじ止めされた検出器と変換器の回転構造の改善に関する。
【背景技術】
【０００２】
現場に設置された差圧計や流量計などフィールド機器では配管の配置具合などにより変換器の目盛等が見にくくなったりすることがある。その場合、検出器に対して変換器を回転させる作業が発生する。
【０００３】
図３（ａ）はフィールド機器の検出器１と変換器２および接合部３の要部構成を示すものである。このような検出器１と変換器２では接合部３を摺動面として変換器２を矢印Ａ方向に回転させ、変換器の向きを調整している。検出器１と変換器２は数本のねじにより固定されている。
【０００４】
図３（ｂ〜ｄ）は検出器１と変換器２を固定するための要部の一例を示すもので、図３（ｂ）は正面図、図３（ｃ）は図３（ｂ）のＡ−Ａ断面図、図３（ｄ）は図３（ｂ）のＡ−Ａ断面図斜視図である。
【０００５】
これらの図において、検出器１と変換器２の摺動面は円板状の鍔（１ａ，２ａ）を合わ
せた状態とされ、変換器２側の４箇所に形成されたねじ穴２ｂに検出器１側に形成された
通し孔１ｂを介してねじ４がねじ込まれて固定されている。
【０００６】
図３（ｅ〜ｇ）は検出器１と変換器２を固定するための他の従来例の要部の一例を示すもので、図３（ｅ）は正面図、図３（ｆ）は図３（ｅ）のＡ−Ａ断面図、図３（ｇ）は図３（ｅ）のＡ−Ａ断面図斜視図である。
【０００７】
これらの図において、検出器１の鍔部１ａが変換器２に形成された穴２ｃに挿入され、検出器１の鍔１ａの側面に形成されたリング溝１ｃに変換器２の側面に形成されたねじ孔２ｄを介してねじ４がねじ込まれて固定されている。
【先行技術文献】
【特許文献】
【０００８】
【特許文献１】特開２００４−３４７３５１号公報
【発明の概要】
【発明が解決しようとする課題】
【０００９】
ところで、上述の従来技術において、変換器２を所望の方向に回転させるには検出器１と変換器２を分離する必要があるが、設置後の回転は時間と工数を要するので、可能な限り設置状況に合わせて向きを調整しておく方が望ましい。
【００１０】
図では省略するが検出器１と変換器２の間にはこれらを電気的に接続するためのケーブルなども通っていて設置後の回転は非常に難しい。また、図（ｂ〜ｄ）に示す従来例では検出器１と変換器２のねじ４の数（図では４個）にもよるが、回転角度に制約があるという課題がある。
【００１１】
また、図（ｅ〜ｇ）に示す従来例では変換器２の外周に配置されたねじ４を緩めて回転させ再度締め付けを行う必要があるが、設置後は工具などの作業スペースの問題があり作業性がよいとは言えない。
また、この従来例では、ねじ４を検出器１に押し当てることにより固定しているため、固定後も回転方向に力を加えると変換器２が回転してしまうという課題がある。
【００１２】
従って本発明は、検出器に対して容易に変換器を回転させることができる検出器と変換器の回転構造を提供することを目的としている。
【課題を解決するための手段】
【００１３】
本発明は上記課題を解決するためになされたもので、請求項１においては、
検出器と変換器の回転構造において、大径部と小径部からなり中心部に貫通孔が形成された断面凸状の検出器と、該検出器の小径部が挿入され、一端が前記検出器の大径部に接触した状態で他端が前記小径部の端部と略面一になる程度に形成され、かつ前記他端側から所定の深さに形成され前記検出器の小径部との間に円筒状の空間を有する変換器と、前記空間に前記小径部を巻き回して配置されたコイルばねと、前記コイルばねを押圧するばね押圧部材を備えると共に、前記検出器の大径部と前記変換器の接触部を噛合い構造とし、前記コイルばねは前記変換器を持ち上げて前記コイルばねを押圧したときに前記噛合いが外れる程度に形成され、前記ばね押圧部材は複数のねじにより前記検出器の小径部の端部に固定されたことを特徴としている。
【００１５】
請求項２においては、請求項１に記載の検出器と変換器の回転構造において、
前記噛合い構造は歯形状、波型状、三角波状を含むことを特徴とする。
【発明の効果】
【００１６】
以上説明したことから明らかなように本発明の請求項１、２によれば、
コイルばねと噛合い構造により、検出器に対して変換器を持ち上げるだけで容易に回
転させることができ、所望の位置で固定することができる。
【図面の簡単な説明】
【００１７】
【図１】本発明の検出器と変換器の回転構造の要部正面図（ａ）、図（ａ）のＡ−Ａ断面図（ｂ）、図（ａ）のＡ−Ａ断面斜視図（ｃ）および分解斜視図（ｄ）である。
【図２】本発明の検出器と変換器の回転構造の他の実施例を示す図である。
【図３】従来の検出器と変換器の回転構造を示す図である。
【発明を実施するための形態】
【００１８】
図１は本発明の検出器と変換器の回転構造を示す要部正面図（ａ）、図（ａ）のＡ−Ａ断面図（ｂ）、図（ａ）のＡ−Ａ断面斜視図（ｃ）および分解斜視図（ｄ）である。
これらの図において、１１は大径部11ａと小径部11ｂからなる断面凸状に形成された検出器である。１２は中心部に検出器の小径部11ｂが挿入され、一端が検出器の大径部11ａに接触した状態で他端が小径部の端部より僅かに長く段差ｄを有する程度に形成された変換器である。
【００１９】
変換器１２には他端側（小径部の端部側）から所定の深さｅに形成され前記検出器の小径部との間に円筒状の空間Ｐが形成されている。この空間Ｐには検出器の小径部11ｂを巻き回してコイルばね６が配置されている。５は円板状のばね押さえであり、段差ｄを埋める程度の厚さに形成されている。
【００２０】
この円板状のばね押さえ５は複数（図では４本）のねじ４により検出器の小径部11ｂの端部にばね４を押圧した状態で固定され、同時に変換器１２をコイルばね６により検出器１１に押圧した状態となっている。７で示す部分は噛合い構造とされ、図では変換器１２の一端と検出器の大径部11ａが接触する部分が歯型状に形成されて噛合った状態とされている。
【００２１】
上述の構成において、変換器１２を噛合い構造が外れる程度に持ち上げ検出器１１に対して変換器１２を回転させる。その場合噛合い構造の歯数を細かく形成しておけば、小刻みに回転位置を決めることができる。
【００２２】
図２は他の実施例を示すもので、この例では噛合い構造７ａを波（山）型にしたものでり、他の部分は図１と同様なのでここでの説明は省略する。
このような構成においても、噛合いが外れる程度に変換器を持ち上げるだけで検出器に対して容易に変換器を回転させることができる
【００２３】
なお、以上の説明は、本発明の説明および例示を目的として特定の好適な実施例を示したに過ぎない。実施例ではばね押圧部材のねじを４本としたが、１本以上であれば２本、３本でも４本以上でも良く、ねじに限らず接着、リベットのようなものでも良い。
【００２４】
また、ばね押圧部材は実施例では段差ｄに収めるために円板状としたが、変換器の一端が検出器の大径部に接触した状態で他端が小径部の端部と略面一になる程度に形成しておけば、矩形の中心付近に穴を開けたようなものであってもよく、コイルばねを押圧可能であれば変換器の他端から突き出た状態であってもよい。
【００２５】
即ち本発明では、略面一とは変換器の一端が検出器の大径部に接触した状態で他端が小径部の端部よりコイルばねを押圧可能な状態で多少突き出ていても、本実施例に示したように多少凹んだ状態でもよい状態と定義している。
要はコイルばねで変換器の一端を検出器の大径部に押さえつけ、変換器をコイルばねの力に抗して持ち上げたときに噛合いが外れるような構成であれば良い。
【００２６】
また、検出器と変換器の形状は要部のみを示したが、図示の例に限ることなく任意に設計可能である。
従って本発明は、上記実施例に限定されることなく、その本質から逸脱しない範囲で更に多くの変更、変形を含むものである。
【符号の説明】
【００２７】
１、１１      検出器
１ａ、２ａ    鍔
１ｂ          通し孔
１ｃ          リング溝
２、１２      変換器
２ｂ、２ｄ    ねじ孔
２ｃ          穴
３            接合部
４            ねじ
５            ばね押圧部材
６            コイルばね
７、７ａ      噛合い構造
【図１】
0005688680.tif 000002
【図２】
0005688680.tif 000003
【図３】
0005688680.tif 000004